(57)【要約】【課題】始動時に排気ガス浄化触媒を加熱する大幅遅角点火の処理でのスモーク発生を抑制し、成層燃焼を行う中・低負荷運転領域で燃焼効率を向上可能な筒内噴射式火花点火内燃機関を提供する。【解決手段】燃焼室５の天井中央付近にインジェクタ１０と点火プラグ１２とを配置し、ピストン２の頂面部を凹部状に形成し、その底面部から突設した仕切り壁状の振り分け突部１４によって分割し、インジェクタ１０で噴射した噴霧燃料流１１を反射して点火プラグ１２にかかる成層混合気を形成する点火成層混合気流生成用のキャビティ１５と、振り分け突部１４によって分配された噴霧燃料流１１を均質混合気にする均質混合気生成用のキャビティ１６とを構成する。【選択図】        図１
2008088920.tif 000002
【特許請求の範囲】
【請求項１】
気筒の燃焼室内へインジェクタにより燃料を直接噴射すると共に、点火プラグによって点火して燃焼を起こさせる筒内噴射式火花点火内燃機関において、
前記インジェクタを前記燃焼室の天井中央部に配置し、前記インジェクタから前記気筒内のピストン側へ向けて斜状に噴霧燃料流を噴射するよう構成し、
前記燃焼室の天井部における前記インジェクタに隣接する位置に、前記点火プラグを配置し、
前記ピストンの頂面部に、凹部状の噴射パターン変更用キャビティを形成し、
前記噴射パターン変更用キャビティの底面部から隆起するように仕切り壁状の振り分け突部を形成して、点火成層混合気流生成用のキャビティと、均質混合気生成用のキャビティとに分割し、
前記インジェクタから一の所定時期に前記噴霧燃料流を噴射することにより、前記振り分け突部によって噴射された前記噴霧燃料流を、前記点火成層混合気流生成用のキャビティと前記均質混合気生成用のキャビティとに振り分けて分配し、前記点火成層混合気流生成用のキャビティで形成された成層混合気と前記均質混合気生成用のキャビティで形成された均質混合気とに対して前記点火プラグで点火可能に構成し、
前記インジェクタから他の所定時期に前記噴霧燃料流を噴射して前記点火成層混合気流生成用のキャビティで反射させることにより前記点火プラグにかかる成層混合気を形成した状態で、前記点火プラグで点火可能に構成したことを特徴とする筒内噴射式火花点火内燃機関。
【請求項２】
前記筒内噴射式火花点火内燃機関で、排気ガス浄化触媒の触媒床温を上昇させるための遅角点火の処理を行う場合には、前記インジェクタから一の所定時期に前記噴霧燃料流を噴射して前記点火成層混合気流生成用のキャビティで反射させることにより前記点火プラグにかかる成層混合気を形成した状態で、前記点火プラグで点火することを特徴とする請求項１に記載の筒内噴射式火花点火内燃機関。
【請求項３】
前記インジェクタの所定複数個の燃料噴射用の噴孔から、扇形の範囲に対して放射線方向に所定複数本の前記噴霧燃料流を噴射するよう構成し、隣接する前記噴霧燃料流の間位置に、前記点火プラグを配置したことを特徴とする請求項１に記載の筒内噴射式火花点火内燃機関。
【発明の詳細な説明】
【技術分野】
【０００１】
この発明は、燃焼室内に燃料を直接的に噴射供給する燃料噴射の時期を大幅に変更調整するのに対応して、燃焼室内で混合気の空燃比を局所的に異ならせる混合気分布の状態を変更して点火可能とする、筒内噴射式火花点火内燃機関に関する。
【背景技術】
【０００２】
一般に、自動車等に利用される内燃機関（エンジン）には、燃費の向上を図るため、燃焼室内において局所的に空燃比をリッチにし、あるいは局所的な部分にだけ混合気を形成する等により、燃焼室内全体ではトータルとしてリーン（酸素過多雰囲気）な空燃比で燃焼させる成層燃焼方式を利用するものがある。
【０００３】
この成層燃焼方式の内燃機関には、燃焼室内において局所的に形成される混合気の空燃比を正確に制御するため、インジェクタにより燃料を燃焼室内に直接噴射する筒内噴射方式及び火花点火方式を採用したものがある。
【０００４】
さらに、筒内噴射式火花点火内燃機関には、ピストンに、頂面の所定部所を凹ませた形状のキャビティを設け、インジェクタで燃料をキャビティ内に向かって噴射することによって、燃料の気化を促進すると共に、シリンダの内壁面への燃料の付着が少なくなるように構成したものがある。
【０００５】
このように構成した従来の筒内噴射式火花点火内燃機関では、例えば、シリンダヘッドにペントルーフ型（切妻屋根型）に形成された燃焼室天井部を形成し、この燃焼室天井部の中央寄り位置（例えば、吸気弁と排気弁とを配置した部分から中心側の所定位置）に配置したインジェクタから所定タイミングでシリンダの軸方向に向けて燃料を噴射するよう構成する。
【０００６】
またピストンには、インジェクタの噴射方向中心軸とほぼ同軸上の位置を中心とする円環状の凹陥部に形成されたキャビティを設ける。
【０００７】
これと共に燃焼室天井部の中心から吸気側に偏位した位置には、点火プラグを燃焼室内へシリンダ軸方向に対して斜め方向に突出させて配置し、ピストンが上死点の位置にきた際にキャビティの内方上部の中心から吸気側へ偏位した位置に着火可能なように構成する。
【０００８】
このように構成された筒内噴射式火花点火内燃機関では、成層燃焼を行う中・低負荷運転領域の内燃機関圧縮行程において、シリンダヘッド側に上昇してきたピストンが上死点の手前所定位置に到達した際に、インジェクタから燃料を噴射する。
【０００９】
すると、この筒内噴射式火花点火内燃機関では、噴射された燃料（噴射燃料）は、キャビティ内で受け止められ断面略円弧形状をなす円周溝部にガイドされて噴射燃料の拡散する方向及び広がりが制御されることにより、略ドーナッツ形状の混合気の分布状態を形成するので、噴霧燃料のシリンダ内周壁面側への拡散を防止することができる。
【００１０】
よって、このように構成した筒内噴射式火花点火内燃機関では、噴射燃料の一部が直接シリンダの内周壁面に衝突することによって生じる冷却作用による燃焼の悪化や、プラグのくすぶりを防止することができる（例えば、特許文献１参照）。
【００１１】
また、このような筒内噴射式火花点火内燃機関では、内燃機関の始動時に、この内燃機関から排出される排気ガスを浄化するため設置された触媒の触媒床温を常温から触媒の機能を活性化させる温度まで急速に増加させるために、内燃機関の膨張行程においてインジェクタから燃料を噴射して点火することにより燃料の燃焼エネルギが内燃機関を回転させるために消費されるのを減じて排気ガスを高温のまま排気ガス浄化触媒へ送給することにより触媒床温を急速に上昇させるための、いわゆる大幅遅角点火の処理を行うことが実用化されている。
【００１２】
上述したようなシリンダヘッドの燃焼室天井部における中央部位にインジェクタと点火プラグとを並べて配置した構成の筒内噴射式火花点火内燃機関で大幅遅角点火の処理を行う場合には、膨張行程においてインジェクタから燃料を噴射すると、ピストン頂面のキャビティが燃焼室天井部から離れていく動作（インジェクタからピストン頂面が逃げる動作）を行っているため、インジェクタから噴射した噴霧燃料を、逃げて行くピストン頂面に反射させて点火プラグの位置へ戻させる動作が困難となる。
【００１３】
このため、シリンダヘッドの中央部にインジェクタと点火プラグとが配置されている筒内噴射式火花点火内燃機関で大幅遅角点火の処理を行う場合には、インジェクタから噴射された直後の噴霧燃料に、インジェクタに近接して配置された点火プラグで点火しなければならなくなる。
【００１４】
この場合には、インジェクタから点火プラグまでの噴霧飛行距離が極端に短くなるため、噴霧燃料が気化して空気と混合する期間が十分にとれないので、噴霧燃料に多く含まれる液状の燃料の粒子で点火プラグが濡れてくすぶるようになったり、リッチな状態の噴霧燃料に点火して未燃の炭化水素（ＨＣ）やスモークを発生させたりするおそれがある。
【００１５】
【特許文献１】特開平１１−１０７７５９号公報
【特許文献２】特開２００３−２７９４５号公報
【発明の開示】
【発明が解決しようとする課題】
【００１６】
本発明は上述した点に鑑み、内燃機関の始動時に排気ガス浄化触媒の触媒床温を急速に増加させるための大幅遅角点火の処理を行った際にスモークが発生することを抑制し、成層燃焼を行う中・低負荷運転領域での内燃機関の圧縮行程で燃料を噴霧し点火した際の燃焼効率を向上できるようにした、筒内噴射式火花点火内燃機関を新たに提供することを目的とする。
【課題を解決するための手段】
【００１７】
本発明の請求項１に記載の筒内噴射式火花点火内燃機関は、気筒の燃焼室内へインジェクタにより燃料を直接噴射すると共に、点火プラグによって点火して燃焼を起こさせる筒内噴射式火花点火内燃機関において、インジェクタを燃焼室の天井中央部に配置し、インジェクタから気筒内のピストン側へ向けて斜状に噴霧燃料流を噴射するよう構成し、燃焼室の天井部におけるインジェクタに隣接する位置に、点火プラグを配置し、ピストンの頂面部に、凹部状の噴射パターン変更用キャビティを形成し、噴射パターン変更用キャビティの底面部から隆起するように仕切り壁状の振り分け突部を形成して、点火成層混合気流生成用のキャビティと、均質混合気生成用のキャビティとに分割し、インジェクタから一の所定時期に噴霧燃料流を噴射することにより、振り分け突部によって噴射された噴霧燃料流を、点火成層混合気流生成用のキャビティと均質混合気生成用のキャビティとに振り分けて分配し、点火成層混合気流生成用のキャビティで形成された成層混合気と均質混合気生成用のキャビティで形成された均質混合気とに対して点火プラグで点火可能に構成し、インジェクタから他の所定時期に噴霧燃料流を噴射して点火成層混合気流生成用のキャビティで反射させることにより点火プラグにかかる成層混合気を形成した状態で、点火プラグで点火可能に構成したことを特徴とする。
【００１８】
請求項２に記載の発明は、請求項１に記載の筒内噴射式火花点火内燃機関において、筒内噴射式火花点火内燃機関で、排気ガス浄化触媒の触媒床温を上昇させるための遅角点火の処理を行う場合には、インジェクタから一の所定時期に噴霧燃料流を噴射して点火成層混合気流生成用のキャビティで反射させることにより点火プラグにかかる成層混合気を形成した状態で、点火プラグで点火することを特徴とする。
【００１９】
前述のように構成することにより、内燃機関の始動時に排気ガス浄化触媒の触媒床温を急速に増加させるため燃料噴射の時期を大幅に変更調整して大幅遅角点火の処理を行う際に、インジェクタから噴射した噴霧燃料流を点火成層混合気流生成用のキャビティで反射させることにより点火プラグにかかるように成層混合気を集めた状態で、点火プラグで点火するのでスモークが発生することを抑制できる。しかもこの構成によれば、成層燃焼を行う中・低負荷運転領域での内燃機関の圧縮行程で燃料を噴霧した際に燃焼室内で混合気の空燃比を局所的に異ならせて適切な混合気分布の状態にしてから点火するので、燃焼室内にある空気を無駄なく利用して燃焼を行わせることにより燃焼効率を向上できる。
【００２０】
請求項３に記載の発明は、請求項１に記載の筒内噴射式火花点火内燃機関において、インジェクタの所定複数個の燃料噴射用の噴孔から、扇形の範囲に対して放射線方向に所定複数本の噴霧燃料流を噴射するよう構成し、隣接する噴霧燃料流の間位置に、点火プラグを配置したことを特徴とする。
【００２１】
上述のように構成することにより、請求項１に記載の発明の作用、効果に加えて、点火プラグに直接噴霧燃料流が当たって、噴霧燃料に多く含まれる液状の燃料の粒子で点火プラグが濡れ点火時にくすぶることを抑制できる。
【発明の効果】
【００２２】
本発明の筒内噴射式火花点火内燃機関によれば、内燃機関の始動時に排気ガス浄化触媒の触媒床温を急速に増加させるため燃料噴射の時期を大幅に変更調整して大幅遅角点火の処理を行った際にスモークが発生することを抑制でき、しかも成層燃焼を行う中・低負荷運転領域での内燃機関の圧縮行程で燃料を噴霧した際に燃焼室内で混合気の空燃比を局所的に異ならせて適切な混合気分布の状態にしてから点火することにより燃焼効率を向上できるという効果がある。
【発明を実施するための最良の形態】
【００２３】
本発明の筒内噴射式火花点火内燃機関に関する実施の形態について、図１乃至図６により説明する。
【００２４】
図１は、筒内噴射式火花点火内燃機関Ｅが備える単一の気筒の要部を取り出して示す断面概略構成図であり、１はシリンダボア（シリンダボア１というときは、吸気弁及び排気弁等を備えた燃焼室部分と、シリンダ内壁面と、ピストンヘッドとに囲まれた空間を構成する部分を意味するものとする。）、２はピストンである。なお、この筒内噴射式火花点火内燃機関Ｅは、多気筒の内燃機関又は単気筒の内燃機関として構成することができる。
【００２５】
この筒内噴射式火花点火内燃機関Ｅでは、シリンダブロック３に穿設されたシリンダ穴の端部開口部分を塞ぐようにシリンダヘッド４を配置し、シリンダブロック３のシリンダ穴内で、図示しないクランク軸に連動してピストン２が気密を保ちながら往復運動をできるように構成する。
【００２６】
この筒内噴射式火花点火内燃機関Ｅでは、シリンダヘッド４のシリンダ穴に連続するよう対応した燃焼室５を設ける。この燃焼室５は、いわゆるペントルーフ型に形成する。すなわち、燃焼室５のペントルーフ型の燃焼室天井部は、側面視で鈍角の二等辺三角形となるような２つの斜面部を有する切妻屋根形状に形成する。
【００２７】
図１及び図６に示すように、燃焼室５の一方の斜面部には、シリンダヘッド４に設けられた空気吸入用の通路である２個の吸気ポート６の端部を開口させる開口部分６ａを形成する。また、各吸気ポート６の開口部分６ａには、各開口部分６ａを開放又は遮断するための吸気バルブ７をそれぞれ装着する。
【００２８】
各吸気バルブ７は、動弁装置によって操作されることにより、同期して各開口部分６ａを開放又は遮断する動作を行う。
【００２９】
また、燃焼室５の他方の斜面部には、シリンダヘッド４に設けられた排気ガス排出用の通路である２個の排気ポート８の端部を開口させる開口部分８ａを形成する。また、各排気ポート８の開口部分８ａを開放又は遮断するための排気バルブ９をそれぞれ装着する。各排気バルブ９は、図示しない内燃機関制御システムで制御される可変動弁装置によって操作されることにより、同期して各開口部分８ａを開放又は遮断する動作を行う。
【００３０】
各気筒のシリンダボア１における燃焼室５のペントルーフ型の燃焼室天井中央部（例えば、吸気弁と排気弁とを配置した部分から中心側の所定位置）には、シリンダボア１の中心軸Ｈ方向に向けて配置されて、その先端部をシリンダボア１内に露呈させるように、インジェクタ１０を配置する。このインジェクタ１０は、内燃機関制御システムで制御されることにより、図示しない燃料タンクから加圧ポンプで送給された燃料を、制御された所要のタイミングで所要量だけ、シリンダボア１内へ直接噴射するよう構成する。このインジェクタ１０は、その先端部に複数個（ここでは６個）の燃料噴射用の噴孔（図示せず）を設ける。
【００３１】
図１、図３及び図６から理解されるように、このインジェクタ１０は、その所定複数個の燃料噴射用の噴孔から、吸気バルブ７から排気ポート８へ向かう中心線Ｎに対して対称となるように、所定複数本の噴霧燃料流１１を噴射するよう構成する。
【００３２】
すなわち、このインジェクタ１０では、図３に示すようにシリンダボア１の中央に配置したインジェクタ１０から２個の排気バルブ９を配置した半円形（扁平な扇形）の範囲に対して、放射線方向に等間隔で所定複数本の噴霧燃料流１１を噴射するよう構成する。
【００３３】
また、このインジェクタ１０では、図１に示すようにシリンダボア１を縦断面で見たとき、その中央に配置したインジェクタ１０から、シリンダボア１の中心線Ｈに対して所定角度Ｓ開いた方向に向けて所定複数本の噴霧燃料流１１を噴射するよう構成する。
【００３４】
図１、図３及び図６に示すように、この筒内噴射式火花点火内燃機関Ｅでは、シリンダボア１の燃焼室５の中央部に装着したインジェクタ１０の先端部から、シリンダボア１の中心線Ｈに対して角度３０度だけ開いた方向（図１で斜め下方向）に向けて６本の噴霧燃料流１１を噴射するよう構成することにより、吸気行程で吸入される空気の流れに噴霧燃料流１１を乗せて良好なタンブル流を形成できる。なお、インジェクタ１０から噴霧燃料流１１を噴射する方向は、シリンダボア１の部分に作るタンブル流の流れの方向に沿う所要の方向を選択して設定できる。
【００３５】
すなわち、上述した図１、図３及び図６に具体的に示すようにインジェクタ１０を構成した場合には、例えば、この内燃機関の高負荷高回転時（例えば、最大負荷の８０％以上、回転数４０００ｒｐｍ以上）に、吸気行程で吸気バルブ７を開いたときに吸気した空気が吸気ポート６の開口部分６ａと吸気バルブ７との間からシリンダボア１内に急速に流れ込む空気の流れに沿うように、インジェクタ１０から噴霧燃料流１１が噴射される。
【００３６】
よって、この筒内噴射式火花点火内燃機関Ｅでは、シリンダボア１内において吸気行程で流入した空気の流れと、インジェクタ１０から噴射した噴射燃料の貫徹力とが相俟って加速され強められたタンブル流を形成し、これが圧縮行程末期の点火時期まで良好に持続してシリンダボア１内に乱れを存在させている状態で点火することができるので、燃焼速度を速め、筒内噴射式火花点火内燃機関Ｅの性能を向上できる。
【００３７】
また、このインジェクタ１０では、その先端部から６本の噴霧燃料流１１を噴射するよう構成する他に、燃料噴霧の形状を種々に設定可能であり、例えば、噴霧燃料流１１を、比較的厚さの薄い略扇形状に燃料を噴射するものとし、又は１本の噴霧燃料流１１を中実若しくは中空円錐形状若しくは中実柱形状となるようにしても良い。また、このインジェクタ１０では、燃料噴霧の形状を円弧状スリット噴孔や複数の直線スリット噴孔の組み合わせにより、比較的に薄い円弧状等の燃料噴霧の形状としても良い。
【００３８】
図１、図３及び図６に示すように、この筒内噴射式火花点火内燃機関Ｅでは、シリンダボア１の中心軸Ｈ上に配置したインジェクタ１０に近接し、吸気バルブ７から排気バルブ９へ向かう方向と平行な中心線Ｎ上の所定位置に点火プラグ１２を配置する。
【００３９】
この点火プラグ１２は、シリンダボア１の中心軸Ｈ方向に向くよう傾斜して、一方の端部に設けた着火部である電極部が燃焼室５内に若干突出する状態で露呈するように設置する。
【００４０】
この点火プラグ１２は、図示しない内燃機関制御システムで制御されるプラグ駆動回路から所要の点火時期に駆動電流が供給されて、所要の点火エネルギで２つの電極間にアークを飛ばして着火させるように構成する。
【００４１】
さらに、この筒内噴射式火花点火内燃機関Ｅでは、図３に示すように、隣接する噴霧燃料流１１の間に２つの電極が位置するようにシリンダヘッド４の所定位置に点火プラグ１２を配置することにより、インジェクタ１０から噴射される噴霧燃料流１１が点火プラグ１２の２つの電極に直接当たって液体の燃料で濡れた状態となってくすぶることを抑制するよう構成する。
【００４２】
図１乃至図５に示すように、この筒内噴射式火花点火内燃機関Ｅでは、シリンダボア１の内部に往復運動可能に配置するピストン２の頂面に、インジェクタ１０から噴射された噴霧燃料の流動状態を２つの噴射パターンの間で切り換えるように変更するための噴射パターン変更用キャビティ１３を設ける。
【００４３】
この噴射パターン変更用キャビティ１３は、ピストン２の頂面に穿設した図３に示すような平面視略長円形の凹部として構成する。図１乃至図５に示すように、噴射パターン変更用キャビティ１３は、その内周側面部を断面略円弧状にえぐるようにして凹ませた湾曲面Ｃに形成する。
【００４４】
このように構成した噴射パターン変更用キャビティ１３では、この噴射パターン変更用キャビティ１３内に噴射された噴霧燃料は、キャビティを囲む内周の湾曲面Ｃにガイドされてシリンダブロック３のシリンダ穴の内壁面に直接当たらない方向に向けて反射するので、噴霧燃料がシリンダブロック３のシリンダ穴の内壁面に付着して燃焼せずに残るようなことを抑制できる。
【００４５】
また、噴射パターン変更用キャビティ１３には、その排気ポート８の開口部分８ａの下側に対応した底面部の所定位置に、振り分け突部１４を設け、全体として縦断面略Ｗの字形に形成する。
【００４６】
この振り分け突部１４は、噴射パターン変更用キャビティ１３の底面部における、インジェクタ１０を通る中心線Ｍの一方の側に広がる半円弧状の範囲から所定高さで断面略三角形状の仕切り壁状に隆起させて同じ高さで連なるよう一体的に構成する。
【００４７】
なお、この振り分け突部１４の高さは、インジェクタ１０から噴射する噴霧燃料流１１の状態に対応して決めることができるもので、例えば、噴射パターン変更用キャビティ１３の深さの半分程度とすることができる。
【００４８】
図１に示すように、この筒内噴射式火花点火内燃機関Ｅでは、例えばピストン２が圧縮行程で上死点前のクランク角６０度の位置にあるときに、インジェクタ１０からシリンダボア１の中心線Ｈに対して所定角度Ｓ（ここでは３０度）開いた方向に向けて噴射した噴霧燃料流１１の先端部が、振り分け突部１４の稜線１４Ａに当たるように構成する。
【００４９】
図１、図２及び図４に示すように、この噴射パターン変更用キャビティ１３では、振り分け突部１４から、排気ポート８側のキャビティを囲む内周の湾曲面Ｃにかけて分割して形成される湾曲凹部により、噴霧燃料を点火プラグ１２の電極部側へ反射させて電極部にかかる着火性の良い最適な成層混合気を形成するための点火成層混合気流生成用のキャビティ１５を構成する。
【００５０】
また、この噴射パターン変更用キャビティ１３では、振り分け突部１４から吸気ポート６側のキャビティを囲む内周湾曲面にかけて分割して形成される湾曲凹部により、噴霧燃料を均質に混合させるための均質混合気生成用のキャビティ１６を構成する。なお、この噴射パターン変更用キャビティ１３では、点火成層混合気流生成用のキャビティ１５を均質混合気生成用のキャビティ１６よりも小さく形成する。
【００５１】
次に、上述のように構成した筒内噴射式火花点火内燃機関Ｅの噴射パターン変更用キャビティ１３に関わる作用及び動作について説明する。
【００５２】
この筒内噴射式火花点火内燃機関Ｅでは、その冷間始動時に、この筒内噴射式火花点火内燃機関Ｅから排出される排気ガスを浄化するため設置された触媒の触媒床温を常温から触媒の機能を活性化させる温度まで急速に増加させるために、いわゆる大幅遅角点火の処理を行う。
【００５３】
この筒内噴射式火花点火内燃機関Ｅで大幅遅角点火の処理を行うときには、図４に示すように、筒内噴射式火花点火内燃機関Ｅの膨張行程において、インジェクタ１０からピストン２の点火成層混合気流生成用のキャビティ１５へ向けて噴霧燃料流１１を噴射させる。
【００５４】
すると、シリンダヘッド４の燃焼室５天井部の中央部位に配置したインジェクタ１０から噴射された噴霧燃料流１１が、燃焼室５天井部から離れていく動作（インジェクタ１０からピストン２が逃げる動作）を行っているピストン２頂面の点火成層混合気流生成用のキャビティ１５によって反射されて点火プラグ１２の位置へ戻される。
【００５５】
すなわち、この動作では、噴霧燃料流１１の進む方向とピストン２の点火成層混合気流生成用のキャビティ１５の移動する方向とが同じために噴霧燃料流１１を反射する作用が弱まっても、インジェクタ１０から噴射される噴霧燃料流１１の大部分が点火成層混合気流生成用のキャビティ１５に向けて噴射され点火成層混合気流生成用のキャビティ１５の凹部で屈曲するように反射されて点火プラグ１２近くへ集めるようにして戻されるので、シリンダボア１内の所定の場所にできる狭いエリア内で、点火プラグ１２の電極部分にかかる成層混合気を形成できる。
【００５６】
よって、この筒内噴射式火花点火内燃機関Ｅでは、上述のようにして、点火プラグ１２の電極部分の周辺に着火性の良い最適な混合気を形成した状態で点火プラグ１２により点火し、良好に燃焼させ、このときの燃料の燃焼エネルギが筒内噴射式火花点火内燃機関Ｅを回転させるために消費されるのを減じて排気ガスを高温のまま排気ガス浄化触媒へ送給させることにより触媒床温を急速に上昇させることができる。
【００５７】
なお、この筒内噴射式火花点火内燃機関Ｅでは具体的にいうと、噴霧燃料流１１が点火成層混合気流生成用のキャビティ１５で反射される状態を作る適切なタイミング（これに適合するクランク角のタイミングである第２の所定クランク角の範囲内）で、インジェクタ１０から噴霧燃料流１１を噴射する。
【００５８】
そして、この筒内噴射式火花点火内燃機関Ｅでは、反射してきた噴霧燃料流１１により点火プラグ１２の周囲に成層混合気が形成されたタイミング（例えば、膨張行程の上死点からクランク角６０度以上進んだタイミングであって、好ましくは７０度から８０度程度の範囲の所要タイミング）で点火する。
【００５９】
このように筒内噴射式火花点火内燃機関Ｅで大幅遅角点火の処理を行った場合には、インジェクタ１０から噴射した直後の噴射燃料が点火プラグ１２にかかって点火プラグ１２が濡れてくすぶることを抑制し、未燃の炭化水素（ＨＣ）やスモークが発生することを抑制できる。
【００６０】
次に、この筒内噴射式火花点火内燃機関Ｅで、中・低負荷運転領域（例えば、最大負荷の８０％以下、回転数４０００ｒｐｍ以下）での運転時に成層燃焼を行う場合について説明する。
【００６１】
この場合には、図１及び図２に示すように、中・低負荷運転領域で運転中の筒内噴射式火花点火内燃機関Ｅの圧縮行程において、インジェクタ１０からピストン２の振り分け突部１４へ向けて噴霧燃料流１１を噴射させる。
【００６２】
すると、シリンダヘッド４の燃焼室５天井部の中央部に配置したインジェクタ１０から噴射された噴霧燃料流１１が、燃焼室５天井部に接近していく動作を行っているピストン２の振り分け突部１４によって、点火成層混合気流生成用のキャビティ１５側へ流入されるものと、均質混合気生成用のキャビティ１６側へ流入されるものとに、所定の分配率（例えば、５０対５０）で振り分けられる。
【００６３】
この筒内噴射式火花点火内燃機関Ｅでは、インジェクタ１０から噴霧燃料流１１を噴射する噴霧期間を制御することにより、噴霧燃料流１１を所要の分配率で点火成層混合気流生成用のキャビティ１５側と均質混合気生成用のキャビティ１６側とに振り分ける。
【００６４】
なお、この筒内噴射式火花点火内燃機関Ｅでは、例えば、圧縮行程においてピストン２が上死点側へ移動する際に、クランク角が圧縮上死点前６０度に至ったときがインジェクタ１０から噴霧燃料流１１を噴射する噴霧期間の最終時期となるタイミング（第１の所定クランク角の範囲内）で噴射動作を行う。
【００６５】
これにより筒内噴射式火花点火内燃機関Ｅでは、圧縮行程の末期に至った図２に示す点火タイミングのときに、振り分け突部１４にガイドされて均質混合気生成用のキャビティ１６内へ入った噴霧燃料が、比較的長い距離（点火成層混合気流生成用のキャビティ１５に比べて長い）を流れる間に気化が進むと共に比較的多くの空気との混合が進んで、リーン（酸素過多雰囲気）な状態の均質な弱成層の混合気を形成する。
【００６６】
また、この筒内噴射式火花点火内燃機関Ｅでは、図２に示す点火タイミングのときに、振り分け突部１４にガイドされて点火成層混合気流生成用のキャビティ１５へ導入されて反射した噴霧燃料が、気化して空気と混合して成層混合気を形成し、この成層混合気の一部が点火プラグ１２の電極部分にかかる状態となる。
【００６７】
次に、この筒内噴射式火花点火内燃機関Ｅでは、点火成層混合気流生成用のキャビティ１５側にある点火プラグ１２の電極部分の周辺に形成された着火性の良い最適な成層混合気（例えば、ストイキ（理論空燃比）の混合気）に、点火プラグ１２により点火してシリンダボア１の中央部で初期火炎を発生させる。
【００６８】
すると、このシリンダボア１の中央部で初期火炎は、点火成層混合気流生成用のキャビティ１５側へ火炎を広げると同時に、この初期火炎を発生する部分を共有する状態となった、均質混合気生成用のキャビティ１６側にある理論空燃比よりリーン（酸素過多雰囲気）な空燃比での弱成層の混合気に良好に着火して火炎を広げ均質混合気生成用のキャビティ１６内の全体で良好に燃焼する。
【００６９】
よって、この筒内噴射式火花点火内燃機関Ｅでは、シリンダボア１の中央部で点火プラグ１２により着火性の良い最適な成層混合気に点火して初期火炎を発生させると、この初期火炎から、点火成層混合気流生成用のキャビティ１５側と均質混合気生成用のキャビティ１６側とへ、同時に火炎が伝播して燃焼室５側の内部全体での燃焼を、比較的に短い期間で行うことができる（すなわち、キャビティの一方の端部から他方の端部へ向けて火炎を伝播させる場合に比べて短い期間とできる）。
【００７０】
また、この筒内噴射式火花点火内燃機関Ｅでは、シリンダボア１の中央部にあるインジェクタ１０から噴射パターン変更用キャビティ１３の点火成層混合気流生成用のキャビティ１５側へ向けて噴霧燃料流１１を噴射しても、振り分け突部１４により噴霧燃料流１１の例えば半分程度のものが噴霧燃料流１１の噴射方向と反対側の空間へ反射されて充填されるので、噴射パターン変更用キャビティ１３内の全体にある空気を満遍なく利用して燃焼効率を向上できる。
【００７１】
なお、一つの浅い皿状のキャビティにおける一方の側にだけ噴霧燃料を噴射した場合には、キャビティの一方の端部に偏って理論空燃比よりリッチな空燃比になりすぎる状態となり、キャビティの他方の端部でリーンになりすぎる状態となって、全体として均質な燃焼ができなくなって燃焼効率が低下する。
【００７２】
これに比べて、噴射パターン変更用キャビティ１３を備えた筒内噴射式火花点火内燃機関Ｅでは、燃焼効率を向上できることになる。
【００７３】
次に、この筒内噴射式火花点火内燃機関Ｅで高負荷高回転運転を行う時には、前述したように、吸気行程で開いた吸気バルブ７からシリンダボア１内に急速に流れ込む空気の流れと、インジェクタ１０から噴射される噴霧燃料流１１の貫徹力とが相俟って加速され強められて強いタンブル流を形成できるので、燃焼速度を速め、筒内噴射式火花点火内燃機関Ｅの性能を向上できる。
【００７４】
なお、本発明は、上述した実施の形態に限定されるものではなく、本発明の要旨を逸脱しない範囲で、その他種々の構成を採り得ることは勿論である。
【図面の簡単な説明】
【００７５】
【図１】本発明の筒内噴射式火花点火内燃機関の実施の形態に係る、一つの気筒の要部を取り出して、成層燃焼を行う中・低負荷運転時にインジェクタからの噴霧燃料流を噴射パターン変更用キャビティ内の振り分け突部へ噴射する状態を示す断面概略構成図である。
【図２】本発明の筒内噴射式火花点火内燃機関の実施の形態に係る、一つの気筒の要部を取り出して、中・低負荷運転時に成層燃焼を行うため点火した状態を示す断面概略構成図である。
【図３】本発明の筒内噴射式火花点火内燃機関の実施の形態に係る、一つの気筒におけるピストンの部分を示す概略平面図である。
【図４】本発明の筒内噴射式火花点火内燃機関の実施の形態に係る、一つの気筒の要部を取り出して、始動時に膨張行程で大幅遅角点火の処理を行うためインジェクタからピストンの点火成層混合気流生成用のキャビティへ噴霧燃料流を噴射させた状態を示す断面概略構成図である。
【図５】本発明の筒内噴射式火花点火内燃機関の実施の形態に係る、ピストンの部分を取り出して示す斜視図である。
【図６】本発明の筒内噴射式火花点火内燃機関の実施の形態に係る、シリンダヘッドの燃焼室側を示す底面図である。
【符号の説明】
【００７６】
１  シリンダボア
２  ピストン
３  シリンダブロック
４  シリンダヘッド
５  燃焼室
６  吸気ポート
７  吸気バルブ
８  排気ポート
９  排気バルブ
１０  インジェクタ
１１  噴霧燃料流
１２  点火プラグ
１３  噴射パターン変更用キャビティ
１４  振り分け突部
１５  点火成層混合気流生成用のキャビティ
１６  均質混合気生成用のキャビティ
【図１】
2008088920.tif 000003
【図２】
2008088920.tif 000004
【図３】
2008088920.tif 000005
【図４】
2008088920.tif 000006
【図５】
2008088920.tif 000007
【図６】
2008088920.tif 000008